(57)【要約】容易に取外し可能なエスカレータアウタデッキにおいて、エスカレータは、ハンドレールシステムブラケットと、欄干パネルと、を備え、エスカレータアウタデッキは、カバープレート（１）と、第１のブラケット（３）と、保持部材（２）と、挿入片（８）と、を備える。第１のブラケット（３）は、ハンドレールシステムブラケット（５）上に取り付けられ、保持部材（２）は、カバープレート（１）の下面に取付けられ、埋込みまたはスナップ留めにより第１のブラケット（３）に固定される。挿入片（８）は、カバープレート（１）と欄干パネル（９）との間に挟持される。取り外す際は、まず挿入片（８）を取り外し、次いで、カバープレート（１）および保持部材（２）を持ち上げるか、あるいは欄干パネル（９）の方向へと押すことにより、カバープレート（１）および保持部材（２）を取り外すことができる。本発明のエスカレータアウタデッキは、有利な構造を有し、保守時に容易に取り外すことができる。
2010500954.tif 000002
【特許請求の範囲】
【請求項１】
容易に取外し可能なエスカレータアウタデッキであって、
前記エスカレータは、ハンドレールシステムブラケットと、欄干パネルと、を備え、
前記エスカレータアウタデッキは、カバープレート（１）と、第１のブラケット（３）と、保持部材（２）と、挿入片（８）と、を備え、
前記第１のブラケット（３）は、前記ハンドレールシステムブラケット（５）上に取り付けられ、
前記保持部材（２）は、開口端部および閉口端部を有し、該閉口端部は、前記カバープレート（１）の下面に固定され、該開口端部は、埋込みまたはスナップ留めにより前記第１のブラケット（３）に固定され、
前記挿入片（８）は、前記カバープレート（１）と前記欄干パネル（９）との間に挟持され、
取外時には、まず前記挿入片（８）を取り外し、次いで、前記カバープレート（１）および前記保持部材（２）を持ち上げるか、あるいは前記欄干パネル（９）の方向へと押すことにより、前記カバープレート（１）および前記保持部材（２）が取り外されることを特徴とするエスカレータアウタデッキ。
【請求項２】
前記保持部材（２）は、前記欄干パネル（９）に近接する側において、前記欄干パネル（９）から離間する方向に延びる屈曲部を端部に備え、前記第１のブラケット（３）は、前記欄干パネル（９）に面しかつ前記屈曲部を受けるギャップを備えており、
前記保持部材（２）は、前記欄干パネル（９）から離間した側において、前記欄干パネル（９）から離間する方向に突出する突出部を備え、前記第１のブラケット（３）は、前記欄干パネル（９）に面しかつ前記突出部を受ける溝を備えることを特徴とする請求項１に記載のエスカレータアウタデッキ。
【請求項３】
前記エスカレータは、欄干パネルクランプ部材（１０）をさらに備え、この欄干パネルクランプ部材（１０）と前記カバープレート（１）との間に第２のブラケット（６）が配設され、該第２のブラケット（６）は、前記欄干パネルクランプ部材（１０）上にスナップ留めされ、かつねじ（７）によって前記カバープレート（１）の下面に固定されることを特徴とする請求項２に記載のエスカレータアウタデッキ。
【請求項４】
前記保持部材（２）と前記第１のブラケット（３）との間に板ばね（１１）が配設されることを特徴とする請求項２に記載のエスカレータアウタデッキ。
【請求項５】
前記板ばね（１１）は、逆Ｖ字形状を有することを特徴とする請求項４に記載のエスカレータアウタデッキ。
【請求項６】
前記保持部材（２）は、前記欄干パネル（９）に近接する側において、前記欄干パネル（９）に向かって突出する隆起部を備え、前記第１のブラケット（３）は、前記欄干パネル（９）から離間しかつ前記隆起部を受けるノッチを備えており、
前記保持部材（２）は、前記欄干パネル（９）から離間した側において、前記欄干パネル（９）から離間する方向へと突出する突出部を備え、前記第１のブラケット（３）は、前記欄干パネル（９）に面しかつ前記突出部を受ける溝を備えることを特徴とする請求項１に記載のエスカレータアウタデッキ。
【請求項７】
前記第１のブラケット（３）の前記欄干パネル（９）に近接する側が直立していることを特徴とする請求項６に記載のエスカレータアウタデッキ。
【請求項８】
前記第１のブラケット（３）の前記欄干パネル（９）に近接する側が湾曲していることを特徴とする請求項６に記載のエスカレータアウタデッキ。
【請求項９】
前記第１のブラケット（３）が、ボルト（４）により前記ハンドレールシステムブラケット（５）に固定されることを特徴とする請求項１〜８のいずれか一項に記載のエスカレータアウタデッキ。
【請求項１０】
前記保持部材（２）が、ボンディングにより前記カバープレート（１）の下面に固定されることを特徴とする請求項１〜９のいずれか一項に記載のエスカレータアウタデッキ。
【請求項１１】
容易に取外し可能なエスカレータアウタデッキであって、
前記エスカレータは、ハンドレールシステムブラケットと、欄干パネルと、を備え、
前記エスカレータアウタデッキは、カバープレート（１）と、第１のブラケット（３）と、保持部材（２）と、挿入片（８）と、を備え、
前記第１のブラケット（３）は、前記カバープレート（１）の下面に取り付けられ、
前記保持部材（２）は、開口端部および閉口端部を有し、該閉口端部は、前記ハンドレールシステムブラケット（５）に固定され、該開口端部は、埋込みまたはスナップ留めにより前記第１のブラケット（３）に固定され、
前記挿入片（８）は、前記カバープレート（１）と前記欄干パネル（９）との間に挟持され、
取外時には、まず前記挿入片（８）を取り外し、次いで、前記カバープレート（１）および前記第１のブラケット（３）を持ち上げるか、あるいは前記欄干パネル（９）の方向へと押すことにより、前記カバープレート（１）および前記第１のブラケット（３）が取り外されることを特徴とするエスカレータアウタデッキ。
【請求項１２】
前記保持部材（２）は、前記欄干パネル（９）に近接する側において、前記欄干パネル（９）に向かって延びる屈曲部を端部に備え、前記第１のブラケット（３）は、前記欄干パネル（９）から離間しかつ前記屈曲部を受けるギャップを備えており、
前記保持部材（２）は、前記欄干パネル（９）から離間した側において、前記欄干パネル（９）に向かって突出する突出部を備え、前記第１のブラケット（３）は、前記欄干パネル（９）から離間しかつ前記突出部を受ける溝を備えることを特徴とする請求項１１に記載のエスカレータアウタデッキ。
【請求項１３】
前記エスカレータは、欄干パネルクランプ部材（１０）をさらに備え、この欄干パネルクランプ部材（１０）と前記カバープレート（１）との間に第２のブラケット（６）が配設され、該第２のブラケット（６）は、前記欄干パネルクランプ部材（１０）上にスナップ留めされ、かつねじ（７）によって前記カバープレート（１）の下面に固定されることを特徴とする請求項１２に記載のエスカレータアウタデッキ。
【請求項１４】
前記保持部材（２）と前記第１のブラケット（３）との間に板ばね（１１）が配設されることを特徴とする請求項１２に記載のエスカレータアウタデッキ。
【請求項１５】
前記板ばね（１１）は、Ｖ字形状を有することを特徴とする請求項１４に記載のエスカレータアウタデッキ。
【請求項１６】
前記保持部材（２）は、前記欄干パネル（９）に近接する側において、前記欄干パネル（９）に向かって突出する隆起部を備え、前記第１のブラケット（３）は、前記欄干パネル（９）から離間しかつ前記屈曲部を受けるノッチを備えており、
前記保持部材（２）は、前記欄干パネル（９）から離間した側において、前記欄干パネル（９）から離間する方向に突出する突出部を備え、前記第１のブラケット（３）は、前記欄干パネル（９）に面しかつ前記突出部を受ける溝を備えることを特徴とする請求項１１に記載のエスカレータアウタデッキ。
【請求項１７】
前記第１のブラケット（３）の前記欄干パネル（９）に近接する側が直立していることを特徴とする請求項１６に記載のエスカレータアウタデッキ。
【請求項１８】
前記第１のブラケット（３）の前記欄干パネル（９）に近接する側が湾曲していることを特徴とする請求項１６に記載のエスカレータアウタデッキ。
【請求項１９】
前記保持部材（２）が、ボルト（４）により前記ハンドレールシステムブラケット（５）に固定されることを特徴とする請求項１１〜１８のいずれか一項に記載のエスカレータアウタデッキ。
【請求項２０】
前記第１のブラケット（３）が、ボンディングにより前記カバープレート（１）の下面に固定されることを特徴とする請求項１１〜１９のいずれか一項に記載のエスカレータアウタデッキ。
【発明の詳細な説明】
【技術分野】
【０００１】
本願は、エスカレータのアウタデッキに関し、特に、容易に取り外すことができるエスカレータのアウタデッキに関する。
【背景技術】
【０００２】
アウタデッキは、エスカレータつまり動く歩道の重要な構成要素である。保守時における構成部品の交換を容易にするために、アウタデッキを取り外す必要がある。現在、エスカレータつまり動く歩道のアウタデッキを固定する２つの方法が存在する。第１として、図６に示すように、アウタデッキ１’は、Ｔ字形ボルトによって、ハンドレールシステムブラケット５’に固定される。取り外する際には、ハンドレールシステムのインナデッキを取り外した後に、アウタデッキ１’が取り外され、また、スカートボードも取り外さなければならない。第２としては、図７に示すように、アウタデッキ１’は、側方ねじ１３によって取付けられる。
【発明の概要】
【発明が解決しようとする課題】
【０００３】
このような場合、エスカレータが、ビルの構造体や並列のエスカレータと接触していると、アウタデッキ１’を取り外すことができない。
【０００４】
本発明の目的は、有益な構造を有するとともに、保守時に容易に取外し可能なエレベータアウタデッキを提供することである。
【課題を解決するための手段】
【０００５】
上記の目的は、本発明の容易に取外し可能なエスカレータアウタデッキによって実現される。
【０００６】
本発明によると、エスカレータは、ハンドレールシステムブラケットと、欄干パネルと、欄干パネルクランプ部材と、を備え、エスカレータアウタデッキは、カバープレートと、第１のブラケットと、保持部材と、挿入片と、を備え、第１のブラケットは、ハンドレールシステムブラケット上に取り付けられ、保持部材は、開口端部および閉口端部を有し、該閉口端部は、カバープレートの下面に固定され、該開口端部は、埋込み（エンベッディング）またはスナップ留め（スナッピング）により第１のブラケットに固定され、挿入片は、カバープレートと欄干パネルとの間に挟持される。取り外す際は、まず挿入片を取り外し、次いで、カバープレートおよび保持部材を持ち上げるか、あるいは欄干パネルの方向へと押すことにより、カバープレートおよび保持部材を取り外すことができる。
【０００７】
一実施例において、保持部材と第１のブラケットとを固定する方法として、保持部材は、欄干パネルに近接する側において、欄干パネルから離間する方向に延びる屈曲部を端部に備え、第１のブラケットは、欄干パネルに面し、屈曲部を受けるギャップを備えており、保持部材は、欄干パネルから離間した側において、欄干パネルから離間する方向に突出する突出部を備え、第１のブラケットは、欄干パネルに面し、突出部を受ける溝を備える。したがって、保持部材および第１のブラケットを欄干パネルに向けて押すことにより、保持部材および第１のブラケットを取り外すことができる。望ましくは、欄干パネルクランプ部材とカバープレートとの間に第２のブラケットが配設され、該第２のブラケットは、欄干パネルクランプ部材上にスナップ留めされ、かつねじによってカバープレートの下面に固定される。
【０００８】
他の実施例では、保持部材を所定の位置に保持するように、保持部材と第１のブラケットとの間に板ばねが配設される。この板ばねは、逆Ｖ字形であることが望ましい。
【０００９】
さらに別の実施例として、保持部材は、欄干パネルに近接する側において、欄干パネルに向かって突出する隆起部を備え、第１のブラケットは、欄干パネルから離間し、屈曲部を受けるノッチを備えており、保持部材は、欄干パネルから離間した側において、欄干パネルから離間する方向に突出する突出部を備え、第１のブラケットは、欄干パネルに面し、かつ突出部を受ける溝を備える。第１のブラケットの欄干パネルに近接する側が直立、またはＳ字状に湾曲していることが望ましい。
【００１０】
望ましい実施例では、第１のブラケットが、ボルトによりハンドレールシステムブラケットに固定され、保持部材が、ボンディングによりカバープレートの下面に固定される。
【００１１】
さらに、本発明によるエスカレータアウタデッキでは、第１のブラケットおよび保持部材の位置を交換してもよい。
【発明の効果】
【００１２】
本発明によるエスカレータアウタデッキでは、カバープレートは、保持部材と第１のブラケットとの間における埋込みやスナップ留めなどの簡単な結合方法により欄干システムブラケットに取付けられる。従来と比べて、本発明によるエスカレータアウタデッキは、組立および取外しが容易である。取り外す際は、まず挿入片を取り外し、次いで、カバープレートおよび保持部材を持ち上げるか、あるいは欄干パネルの方向へと押すことにより、カバープレートおよび保持部材を取り外すことができる。このようなエスカレータアウタデッキは、ビルの構造体や並列のエスカレータの影響を受けることなく、容易に取り外すことができる。
【図面の簡単な説明】
【００１３】
【図１】本発明のエスカレータアウタデッキの第１の実施例を示す概略図。
【図２】図１の領域Ａを示す拡大図。
【図３】本発明のエスカレータアウタデッキの第２の実施例を示す概略図。
【図４】本発明のエスカレータアウタデッキの第３の実施例を示す概略図。
【図５】本発明のエスカレータアウタデッキの第４の実施例を示す概略図。
【図６】従来のエスカレータアウタデッキの第１の構造を示す概略図。
【図７】従来のエスカレータアウタデッキの第２の構造を示す概略図。
【発明を実施するための形態】
【００１４】
（実施例１）
図１，２を参照すると、本実施例において、第１のブラケット３は、ボルトによって、ハンドレールシステムブラケット５に取り付けられている。保持部材２は、一端が開口しており、他端が閉口している。保持部材２の閉口端部は、ＡＢグリュー（ＡＢ  ｇｌｕｅ）などの接着剤を用いたボンディングによりカバープレート１の下面に固定され、したがって、カバープレートと一体化している。保持部材２の開口端部は、第１のブラケット３の上面に固定されている。（現在の多くのエスカレータでは、ガラスパネルであり、いわゆる欄干ガラスである）欄干パネル９は、欄干パネルクランプ部材１０に保持されている。図１に示すように、保持部材２は、欄干パネル９に近接する側において、欄干パネル９から離間する方向に延びる屈曲部を備える。第１のブラケット３は、この屈曲部に対応するとともに屈曲部を受ける横断方向のギャップを備える。保持部材２は、上下方向および欄干パネル９から離間する方向へと移動しないように、埋め込み（エンベッディング）により第１のブラケット３に取り付けられている。保持部材２が欄干パネル９へと所定の距離にわたって移動すると、屈曲部がギャップから外れ、これにより、保持部材２が第１のブラケット３から外れる。
【００１５】
保持部材２は、欄干パネル９から離間した側において、欄干パネル９から離間する方向へと突出する突出部を備える。この突出部は、半円形状の断面を有する。第１のブラケット３は、欄干パネル９に面し、かつこの突出部を受ける溝を備える。この構造は、保持部材２の屈曲部および第１のブラケット３のギャップと同様の機能を有しており、双方の構造とも、上下方向および欄干パネルから離間する方向への移動を防いでいる。しかし、突出部と溝との接触面が円筒面であるため、保持部材２が第１のブラケット３に対して数度回転可能である点において、双方の構造は相違している（このようなデザインは、第２および第３の実施例において、より有用である）。
【００１６】
第２のブラケット６が、カバープレート１と欄干パネルクランプ部材１０との間に配設される。図２に示すように、欄干パネルクランプ部材１０にスナップ留め（スナッピング）され、かつねじ７によってカバープレート１の下面に固定されている。したがって、カバープレート１は、所定の位置に固定される。ブラケット６は、プラスチックまたは他の塑性材料から形成される。
【００１７】
挿入片（ストリップ）８は、カバープレート１と欄干パネル９との間に挟持される。挿入片８は、カバープレート１と欄干パネル９との間のギャップを埋めるとともに、他の構成部材を所定の位置に保持する。
【００１８】
保持部材２は、逆Ｕ字形の断面形状を有することが望ましく、アルミニウム合金などの材料から押出し成形により形成してもよい。第１のブラケット３は、ばね綱または他の同様な材料から形成してもよい。
【００１９】
取り外す際は、まず、挿入片８を取り外し、カバープレート１および保持部材２を欄干パネル９に向かって押して移動させ、保持部材２を第１のブラケット３との係合位置から解放して、カバープレート１および保持部材２を一緒に取り外す。
【００２０】
（実施例２）
図３を参照すると、本実施例は、欄干パネル９から離間した側においては、第１の実施例と同様である。本実施例では、第１のブラケット３は、欄干パネル９に近接する側において、直立し、かつ欄干パネル９から離間する面にノッチを備える。これに対応するように、保持部材２の側面に、欄干パネル９に向かって突出する隆起部が設けられている。保持部材２は、スナップ留めにより、第１のブラケット３に固定される。
【００２１】
第１のブラケット３の直立部分により、保持部材２が欄干パネル９に向かう方向へと移動しないため、本実施例では、第１の実施例における第２のブラケット６は不要である。カバープレート１と欄干パネル９との間には挿入片が挿入される。
【００２２】
取り外す際は、まず、挿入片８を取り外し、カバープレート１および保持部材２を欄干パネル９の側から持ち上げ、次いで、カバープレート１および保持部材２を第１のブラケット３に対して数度回転させて、保持部材２を第１のブラケット３との係合位置から解放し、カバープレート１および保持部材２を取り外す。
【００２３】
（実施例３）
図４を参照すると、本実施例は、第１のブラケット３の欄干パネル９に近接する側がＳ字状に湾曲している点を除いて、第２の実施例と実質的に同様である。
【００２４】
カバープレート１および保持部材２を取り外す方法は、第２の実施例と同様である。
【００２５】
（実施例４）
図５を参照すると、本実施例では、保持部材２は、その両方の側において埋め込みにより第１のブラケット３に固定されている点において、第１の実施例と同様であるが、保持部材２と第１のブラケット３との間に逆Ｖ字形の板ばね１１が設けられている点において、第１の実施例と異なっている。板ばね１１により、欄干パネル９へと向かう保持部材２の移動がある程度制限され、第１のブラケット３に埋め込まれた状態に保持部材２が保持される。本実施例においても、カバープレート１と欄干パネルクランプ部材１０との間における第２のブラケット６は不要である。
【００２６】
カバープレート１および保持部材２を取り外す方法は、第１の実施例と同様である。
【００２７】
さらに、上記の全実施例において、第１のブラケット３および保持部材２の位置を交換してもよいことを当業者であれば理解されるであろう。つまり、第１のブラケット３をカバープレート１の下面に取付け、保持部材２をハンドレールシステムブラケット５上に取り付けてもよい。この場合、上記の構造に対応させて、第１のブラケット３および保持部材２の係合部分（屈曲部、ギャップ、突出部、溝、隆起部およびノッチ）の位置や向きを変更してもよい。
【００２８】
本発明の精神および本質から逸脱することなく、本発明の他の形態を実施することができる。当業者であれば、本発明の種々の変更形態および修正形態を理解されるであろう。したがって、上記の実施例は、説明することを目的としており、これに限定されない。本発明の範囲は、上記の記載からではなく、以下の特許請求の範囲から検討される。特許請求の範囲と同様の意味および範囲における変更はこれに組み込まれる。
【図１】
2010500954.tif 000003
【図２】
2010500954.tif 000004
【図３】
2010500954.tif 000005
【図４】
2010500954.tif 000006
【図５】
2010500954.tif 000007
【図６】
2010500954.tif 000008
【図７】
2010500954.tif 000009
【手続補正書】
【提出日】平成20年2月1日(2008.2.1)
【手続補正１】
【補正対象書類名】明細書
【補正対象項目名】０００２
【補正方法】変更
【補正の内容】
【０００２】
アウタデッキは、エスカレータつまり動く歩道の重要な構成要素である。保守時における構成部品の交換を容易にするために、アウタデッキを取り外す必要がある。現在、エスカレータつまり動く歩道のアウタデッキを固定するいくつかの方法が存在する。第１として、図６に示すように、アウタデッキ１’は、Ｔ字形ボルト１２によって、ハンドレールシステムブラケット５’に固定される。取り外す際には、ハンドレールシステムのインナデッキを取り外した後に、アウタデッキ１’が取り外され、また、スカートボードも取り外さなければならない。また、別の方法としては、図７に示すように、アウタデッキ１’は、側方ねじ１３によって取付けられる。
【手続補正２】
【補正対象書類名】明細書
【補正対象項目名】０００６
【補正方法】変更
【補正の内容】
【０００６】
本発明によると、エスカレータは、ハンドレールシステムブラケットと、欄干パネルと、欄干パネルクランプ部材と、を備え、エスカレータアウタデッキは、カバープレートと、第１のブラケットと、保持部材と、挿入片と、を備える。第１のブラケットは、ハンドレールシステムブラケット上に取り付けられる。保持部材は、開口端部および閉口端部を有し、該閉口端部は、カバープレートの下面に固定され、該開口端部は、埋込み（エンベッディング）またはスナップ留め（スナッピング）により第１のブラケットに固定される。挿入片は、カバープレートと欄干パネルとの間に挟持される。取り外す際は、まず挿入片を取り外し、次いで、カバープレートおよび保持部材を持ち上げるか、あるいは欄干パネルの方向へと押すことにより、カバープレートおよび保持部材を取り外すことができる。
【手続補正３】
【補正対象書類名】明細書
【補正対象項目名】０００７
【補正方法】変更
【補正の内容】
【０００７】
例示的な一実施例において、保持部材と第１のブラケットとを固定する方法として、保持部材は、欄干パネルに最も近接する側において、欄干パネルから離間する方向に延びる屈曲部を端部に備え、第１のブラケットは、欄干パネルに面し、屈曲部を受けるギャップを備えており、保持部材は、欄干パネルから離間した側において、欄干パネルから離間する方向に突出する突出部を端部に備え、第１のブラケットは、欄干パネルに面し、突出部を受ける溝を備える。例示的な実施例において、保持部材および第１のブラケットを欄干パネルに向けて押すことにより、保持部材および第１のブラケットを取り外すことができる。欄干パネルクランプ部材とカバープレートとの間に第２のブラケットを配設してもよい。例示的な実施例において、第２のブラケットは、欄干パネルクランプ部材上にスナップ留めされ、例えば、ねじによってカバープレートの下面に固定される。
【手続補正４】
【補正対象書類名】明細書
【補正対象項目名】０００９
【補正方法】変更
【補正の内容】
【０００９】
さらに別の実施例として、保持部材は、欄干パネルに最も近接する側において、欄干パネルに向かって突出する隆起部を端部に備え、第１のブラケットは、欄干パネルから離間し、屈曲部を受けるノッチを備えており、保持部材は、欄干パネルから離間した側において、欄干パネルから離間する方向に突出する突出部を端部に備え、第１のブラケットは、欄干パネルに面し、かつ突出部を受ける溝を備える。さらに別の実施例においては、第１のブラケットの欄干パネルに最も近接する側が、直立するか、またはＳ字状に湾曲している。
【手続補正５】
【補正対象書類名】明細書
【補正対象項目名】００１０
【補正方法】変更
【補正の内容】
【００１０】
例示的な実施例では、第１のブラケットが、例えば、ボルトによりハンドレールシステムブラケットに固定され、保持部材が、例えば、ボンディングによりカバープレートの下面に固定される。
【手続補正６】
【補正対象書類名】明細書
【補正対象項目名】００１２
【補正方法】変更
【補正の内容】
【００１２】
本発明によるエスカレータアウタデッキでは、カバープレートは、保持部材と第１のブラケットとの間で、例えば、埋込みやスナップ留めなどの簡単な結合方法により欄干システムブラケットに取付けられる。従来と比べて、本発明によるエスカレータアウタデッキは、組立および取外しが容易である。取り外す際は、まず挿入片を取り外し、次いで、カバープレートおよび保持部材を持ち上げるか、あるいは欄干パネルの方向へと押すことにより、カバープレートおよび保持部材を取り外すことができる。このようなエスカレータアウタデッキは、ビルの構造体や並列のエスカレータの影響を受けることなく、容易に取り外すことができる。
【手続補正７】
【補正対象書類名】明細書
【補正対象項目名】００１４
【補正方法】変更
【補正の内容】
【００１４】
（実施例１）
図１，２を参照すると、本実施例において、第１のブラケット３は、ボルト４によって、ハンドレールシステムブラケット５に取り付けられている。保持部材２は、一端が開口しており、他端が閉口している。保持部材２の閉口端部は、ＡＢグリュー（ＡＢ  ｇｌｕｅ）などの接着剤を用いたボンディングによりカバープレート１の下面に固定され、したがって、カバープレートと一体化している。保持部材２の開口端部は、第１のブラケット３に固定されている。（現在の多くのエスカレータでは、ガラスパネルであり、いわゆる欄干ガラスである）欄干パネル９は、欄干パネルクランプ部材１０に保持されている。図１に示すように、保持部材２は、欄干パネル９に近接する側において、欄干パネル９から離間する方向に延びる屈曲部１５を備える。第１のブラケット３は、この屈曲部１５に対応するとともに屈曲部１５を受ける横断方向のギャップ１６を備える。保持部材２は、上下方向および欄干パネル９から離間する方向へと移動しないように、埋め込み（エンベッディング）により第１のブラケット３に取り付けられている。保持部材２が欄干パネル９へと所定の距離にわたって移動すると、屈曲部１５がギャップ１６から外れ、これにより、保持部材２が第１のブラケット３から外れる。
【手続補正８】
【補正対象書類名】明細書
【補正対象項目名】００１５
【補正方法】変更
【補正の内容】
【００１５】
保持部材２は、欄干パネル９から離間した側において、欄干パネル９から離間する方向へと突出する突出部１７を備える。この突出部は、半円形状の断面を有する。第１のブラケット３は、欄干パネル９に面し、かつこの突出部を受ける溝１８を備える。この構造は、保持部材２の屈曲部１５および第１のブラケット３のギャップ１６と同様の機能を有しており、双方の構造とも、保持部材およびカバープレートの上下方向および欄干パネルから離間する方向への移動を防いでいる。しかし、突出部と溝との接触面が円筒面であるため、保持部材２が第１のブラケット３に対して数度回転可能である点において、双方の構造は相違している（このようなデザインは、以下に示す第２および第３の実施例において、より有用である）。
【手続補正９】
【補正対象書類名】明細書
【補正対象項目名】００１６
【補正方法】変更
【補正の内容】
【００１６】
第２のブラケット６が、カバープレート１と欄干パネルクランプ部材１０との間に配設される。図２に示すように、欄干パネルクランプ部材１０にスナップ留め（スナッピング）され、例えば、ねじ７によってカバープレート１の下面に固定されている。したがって、カバープレート１は、所定の位置に固定される。ブラケット６は、プラスチックまたは他の同様の材料から形成される。
【手続補正１０】
【補正対象書類名】明細書
【補正対象項目名】００２０
【補正方法】変更
【補正の内容】
【００２０】
（実施例２）
図３を参照すると、本実施例は、欄干パネル９から離間した側においては、第１の実施例と同様である。しかし、本実施例では、第１のブラケット３は、欄干パネル９に近接する側において、直立し、かつ欄干パネル９から離間する面にノッチ２０を備える。これに対応するように、保持部材２の側面に、欄干パネル９に向かって突出する隆起部１９が設けられている。保持部材２は、例えば、スナップ留めにより、第１のブラケット３に固定される。
【手続補正１１】
【補正対象書類名】明細書
【補正対象項目名】００２３
【補正方法】変更
【補正の内容】
【００２３】
（実施例３）
図４を参照すると、本実施例は、第１のブラケット３の欄干パネル９に最も近接する側が湾曲またはＳ字形状である点を除いて、第２の実施例と同様である。
【手続補正１２】
【補正対象書類名】明細書
【補正対象項目名】００２５
【補正方法】変更
【補正の内容】
【００２５】
（実施例４）
図５を参照すると、本実施例では、保持部材２は、その両方の側において埋め込みにより第１のブラケット３に固定されている点において、第１の実施例と同様であるが、保持部材２と第１のブラケット３との間に板ばね１１が設けられている点において、第１の実施例と異なっている。板ばね１１により、欄干パネル９へと向かう保持部材２の移動がある程度制限され、第１のブラケット３に埋め込まれた状態に保持部材２が保持される。例示的な実施例に示されているように、板ばね１１は、逆Ｖ字形状を有していてもよい。本実施例においても、カバープレート１と欄干パネルクランプ部材１０との間における第２のブラケット６は不要である。
【手続補正１３】
【補正対象書類名】明細書
【補正対象項目名】００２７
【補正方法】変更
【補正の内容】
【００２７】
さらに、上記の全実施例において、第１のブラケット３および保持部材２の位置を交換してもよいことを当業者であれば理解されるであろう。つまり、第１のブラケット３をカバープレート１の下面に取付け、保持部材２をハンドレールシステムブラケット５上に取り付けてもよい。この場合、上記の構造に対応させて、第１のブラケット３および保持部材２の係合部分（屈曲部１５、ギャップ１６、突出部１７、溝１８、隆起部１９およびノッチ２０）の位置や向きを変更してもよい。
【手続補正１４】
【補正対象書類名】特許請求の範囲
【補正対象項目名】全文
【補正方法】変更
【補正の内容】
【特許請求の範囲】
【請求項１】
容易に取外し可能なエスカレータアウタデッキであって、
前記エスカレータは、ハンドレールシステムブラケットと、欄干パネルと、を備え、
前記エスカレータアウタデッキは、カバープレート（１）と、第１のブラケット（３）と、保持部材（２）と、挿入片（８）と、を備え、
前記第１のブラケット（３）は、前記ハンドレールシステムブラケット（５）上に取り付けられ、
前記保持部材（２）は、開口端部および閉口端部を有し、該閉口端部は、前記カバープレート（１）の下面に固定され、該開口端部は、埋込みまたはスナップ留めにより前記第１のブラケット（３）に固定され、
前記挿入片（８）は、前記カバープレート（１）と前記欄干パネル（９）との間に挟持され、
これにより、取外時には、まず前記挿入片（８）を取り外し、次いで、前記カバープレート（１）および前記保持部材（２）を持ち上げるか、あるいは前記欄干パネル（９）の方向へと押すことにより、前記カバープレート（１）および前記保持部材（２）が取り外されることを特徴とするエスカレータアウタデッキ。
【請求項２】
前記保持部材（２）は、前記欄干パネル（９）に最も近接する側において、前記欄干パネル（９）から離間する方向に延びる屈曲部（１５）を端部に備え、前記第１のブラケット（３）は、前記欄干パネル（９）に面しかつ前記屈曲部を受けるギャップ（１６）を備えており、
前記保持部材（２）は、前記欄干パネル（９）から離間した側において、前記欄干パネル（９）から離間する方向に突出する突出部を端部に備え、前記第１のブラケット（３）は、前記欄干パネル（９）に面しかつ前記突出部を受ける溝（１８）を備えることを特徴とする請求項１に記載のエスカレータアウタデッキ。
【請求項３】
前記エスカレータは、欄干パネルクランプ部材（１０）をさらに備え、この欄干パネルクランプ部材（１０）と前記カバープレート（１）との間に第２のブラケット（６）が配設され、該第２のブラケット（６）は、前記欄干パネルクランプ部材（１０）上にスナップ留めされ、かつねじ（７）によって前記カバープレート（１）の下面に固定されることを特徴とする請求項２に記載のエスカレータアウタデッキ。
【請求項４】
前記保持部材（２）と前記第１のブラケット（３）との間に板ばね（１１）が配設されることを特徴とする請求項２に記載のエスカレータアウタデッキ。
【請求項５】
前記板ばね（１１）は、逆Ｖ字形状を有することを特徴とする請求項４に記載のエスカレータアウタデッキ。
【請求項６】
前記保持部材（２）は、前記欄干パネル（９）に最も近接する側において、前記欄干パネル（９）に向かって突出する隆起部（１９）を備え、前記第１のブラケット（３）は、前記欄干パネル（９）から離間しかつ前記隆起部（１９）を受けるノッチ（２０）を備えており、
前記保持部材（２）は、前記欄干パネル（９）から離間した側において、前記欄干パネル（９）から離間する方向へと突出する突出部（１７）を端部に備え、前記第１のブラケット（３）は、前記欄干パネル（９）に面しかつ前記突出部（１７）を受ける溝（１８）を備えることを特徴とする請求項１に記載のエスカレータアウタデッキ。
【請求項７】
前記第１のブラケット（３）の前記欄干パネル（９）に近接する側が直立していることを特徴とする請求項６に記載のエスカレータアウタデッキ。
【請求項８】
前記第１のブラケット（３）の前記欄干パネル（９）に近接する側が湾曲していることを特徴とする請求項６に記載のエスカレータアウタデッキ。
【請求項９】
前記第１のブラケット（３）が、ボルト（４）により前記ハンドレールシステムブラケット（５）に固定されることを特徴とする請求項１〜８のいずれか一項に記載のエスカレータアウタデッキ。
【請求項１０】
前記保持部材（２）が、ボンディングにより前記カバープレート（１）の下面に固定されることを特徴とする請求項１〜９のいずれか一項に記載のエスカレータアウタデッキ。
【請求項１１】
容易に取外し可能なエスカレータアウタデッキであって、
前記エスカレータは、ハンドレールシステムブラケットと、欄干パネルと、を備え、
前記エスカレータアウタデッキは、カバープレート（１）と、第１のブラケット（３）と、保持部材（２）と、挿入片（８）と、を備え、
前記第１のブラケット（３）は、前記カバープレート（１）の下面に取り付けられ、
前記保持部材（２）は、開口端部および閉口端部を有し、該閉口端部は、前記ハンドレールシステムブラケット（５）に固定され、該開口端部は、埋込みまたはスナップ留めにより前記第１のブラケット（３）に固定され、
前記挿入片（８）は、前記カバープレート（１）と前記欄干パネル（９）との間に挟持され、
これにより、取外時には、まず前記挿入片（８）を取り外し、次いで、前記カバープレート（１）および前記第１のブラケット（３）を持ち上げるか、あるいは前記欄干パネル（９）の方向へと押すことにより、前記カバープレート（１）および前記第１のブラケット（３）が取り外されることを特徴とするエスカレータアウタデッキ。
【請求項１２】
前記保持部材（２）は、前記欄干パネル（９）に最も近接する側において、前記欄干パネル（９）に向かって延びる屈曲部（１５）を端部に備え、前記第１のブラケット（３）は、前記欄干パネル（９）から離間しかつ前記屈曲部（１５）を受けるギャップ（１６）を備えており、
前記保持部材（２）は、前記欄干パネル（９）から離間した側において、前記欄干パネル（９）に向かって突出する突出部（１７）を端部に備え、前記第１のブラケット（３）は、前記欄干パネル（９）から離間しかつ前記突出部（１７）を受ける溝（１８）を備えることを特徴とする請求項１１に記載のエスカレータアウタデッキ。
【請求項１３】
前記エスカレータは、欄干パネルクランプ部材（１０）をさらに備え、この欄干パネルクランプ部材（１０）と前記カバープレート（１）との間に第２のブラケット（６）が配設され、該第２のブラケット（６）は、前記欄干パネルクランプ部材（１０）上にスナップ留めされ、かつねじ（７）によって前記カバープレート（１）の下面に固定されることを特徴とする請求項１２に記載のエスカレータアウタデッキ。
【請求項１４】
前記保持部材（２）と前記第１のブラケット（３）との間に板ばね（１１）が配設されることを特徴とする請求項１２に記載のエスカレータアウタデッキ。
【請求項１５】
前記板ばね（１１）は、Ｖ字形状を有することを特徴とする請求項１４に記載のエスカレータアウタデッキ。
【請求項１６】
前記保持部材（２）は、前記欄干パネル（９）に最も近接する側において、前記欄干パネル（９）に向かって突出する隆起部（１９）を備え、前記第１のブラケット（３）は、前記欄干パネル（９）から離間しかつ前記隆起部（１９）を受けるノッチ（２０）を備えており、
前記保持部材（２）は、前記欄干パネル（９）から離間した側において、前記欄干パネル（９）から離間する方向に突出する突出部（１７）を備え、前記第１のブラケット（３）は、前記欄干パネル（９）に面しかつ前記突出部（１７）を受ける溝（１８）を備えることを特徴とする請求項１１に記載のエスカレータアウタデッキ。
【請求項１７】
前記第１のブラケット（３）の前記欄干パネル（９）に近接する側が直立していることを特徴とする請求項１６に記載のエスカレータアウタデッキ。
【請求項１８】
前記第１のブラケット（３）の前記欄干パネル（９）に最も近接する側が湾曲していることを特徴とする請求項１６に記載のエスカレータアウタデッキ。
【請求項１９】
前記保持部材（２）が、ボルト（４）により前記ハンドレールシステムブラケット（５）に固定されることを特徴とする請求項１１〜１８のいずれか一項に記載のエスカレータアウタデッキ。
【請求項２０】
前記第１のブラケット（３）が、ボンディングにより前記カバープレート（１）の下面に固定されることを特徴とする請求項１１〜１９のいずれか一項に記載のエスカレータアウタデッキ。
【請求項２１】
ハンドレールシステムブラケットおよび欄干パネルを備えるエスカレータのアウタデッキであって、
前記エスカレータアウタデッキは、カバープレート（１）と、前記ハンドレールシステムブラケット（５）上に取付けられた第１の部材（２）と、前記カバープレート（１）に固定された第２の部材（３）と、挿入片（８）と、を備え、
前記第２の部材（３）は、前記第１の部材（２）に着脱可能に接続され、
前記挿入片（８）は、前記カバープレート（１）と前記欄干パネル（９）との間に挟持され、
これにより、前記挿入片（８）を取り外し、次いで、前記カバープレート（１）および前記第２の部材（３）を前記欄干パネル（９）に対して所定の方向に移動させることにより、前記アウタデッキが取り外されることを特徴とするエスカレータアウタデッキ。
【請求項２２】
前記アウタデッキは、前記挿入片（８）を取り外し、次いで、前記カバープレート（１）および前記第２の部材（３）を持ち上げることによって取り外されることを特徴とする請求項２１に記載のエスカレータアウタデッキ。
【請求項２３】
前記アウタデッキは、前記挿入片（８）を取り外し、次いで、前記カバープレート（１）および前記第２の部材（３）を前記欄干パネルに向けて移動させることによって取り外されことを特徴とする請求項２１に記載のエスカレータアウタデッキ。
【請求項２４】
前記アウタデッキは、前記挿入片（８）を取り外し、次いで、前記第２の部材（３）および前記第１の部材（２）の着脱可能な接続部分を中心に前記カバープレート（１）および前記第２の部材（３）を回転させることによって取り外されることを特徴とする請求項２１に記載のエスカレータアウタデッキ。
【手続補正１５】
【補正対象書類名】図面
【補正対象項目名】図１
【補正方法】変更
【補正の内容】
【図１】
2010500954.tif 000010
【手続補正１６】
【補正対象書類名】図面
【補正対象項目名】図３
【補正方法】変更
【補正の内容】
【図３】
2010500954.tif 000011
【手続補正１７】
【補正対象書類名】図面
【補正対象項目名】図４
【補正方法】変更
【補正の内容】
【図４】
2010500954.tif 000012
【手続補正１８】
【補正対象書類名】図面
【補正対象項目名】図５
【補正方法】変更
【補正の内容】
【図５】
2010500954.tif 000013
【国際調査報告】
2010500954.tif 000014
2010500954.tif 000015